(57)【要約】【課題】原稿を搬送する原稿搬送部が原稿の画像を読み取る読取部に対して開閉可能に配設されるとともに、原稿搬送部の開動作に連動して排出された原稿を押さえる押さえ部材を配設することによって、原稿搬送部を開けたときに原稿が落下することを確実に防止することができるようにする。【解決手段】原稿の画像を読み取る読取部と、該読取部に原稿を搬送し、読み取りが終了した原稿を排出する原稿搬送部とを有する画像読取装置であって、前記原稿搬送部は前記読取部に対して開閉可能に配設され、前記原稿搬送部の開動作に連動して排出された原稿を押さえる原稿押さえ部材を有する。【選択図】図１
2009130722.tif 000002
【特許請求の範囲】
【請求項１】
（ａ）原稿の画像を読み取る読取部と、
（ｂ）該読取部に原稿を搬送し、読み取りが終了した原稿を排出する原稿搬送部とを有する画像読取装置であって、
（ｃ）前記原稿搬送部は前記読取部に対して開閉可能に配設され、
（ｄ）前記原稿搬送部の開動作に連動して排出された原稿を押さえる原稿押さえ部材を有することを特徴とする画像読取装置。
【請求項２】
前記原稿押さえ部材は、前記読取部及び前記原稿搬送部の開動作において、付勢部材の付勢力によって、任意の角度で、前記排出された原稿を押さえる請求項１に記載の画像読取装置。
【請求項３】
前記原稿押さえ部材の開動作は、前記読取部及び前記原稿搬送部の原稿搬送方向と直交する方向の動作である請求項１に記載の画像読取装置。
【請求項４】
前記読取部及び前記原稿搬送部の開動作の回動中心と、前記原稿押さえ部材の回動中心とが同軸上にある請求項１に記載の画像読取装置。
【請求項５】
（ａ）原稿の画像を読み取る読取部、及び、該読取部に原稿を搬送し、読み取りが終了した原稿を排出する原稿搬送部を備える画像読取ユニットと、
（ｂ）該画像読取ユニットの下方に配設され、前記読取部によって読み取られた画像を印刷する画像形成ユニットとを有する画像形成装置であって、
（ｃ）前記原稿搬送部は前記読取部に対して開閉可能に配設され、
（ｄ）前記画像読取ユニットは前記画像形成ユニットに対して回動可能に配設され、
（ｅ）前記原稿搬送部の開動作又は前記画像読取ユニットの回動に連動して排出された原稿を押さえる原稿押さえ部材を有することを特徴とする画像形成装置。
【請求項６】
前記原稿押さえ部材は、前記画像読取ユニットの開動作において、付勢部材の付勢力によって、任意の角度で、前記排出された原稿を押さえる請求項５に記載の画像形成装置。
【請求項７】
前記原稿押さえ部材の開動作は、前記画像読取ユニットの原稿搬送方向と直交する方向の動作である請求項５に記載の画像形成装置。
【請求項８】
前記原稿押さえ部材は、付勢部材の付勢力によって、前記画像形成ユニットの蓋部材の一部を利用し、任意の角度で、前記排出された原稿を押さえる請求項５に記載の画像形成装置。
【請求項９】
前記原稿押さえ部材は、前記画像読取ユニットの原稿受け台の近傍に配設され、原稿搬送方向に対して平行方向に動作して、前記排出された原稿を押さえる請求項５に記載の画像形成装置。
【発明の詳細な説明】
【技術分野】
【０００１】
本発明は、ＡＤＦ（Ａｕｔｏ  Ｄｏｃｕｍｅｎｔ  Ｆｅｅｄｅｒ）を搭載した画像読取装置及び画像形成装置に関するものである。
【背景技術】
【０００２】
従来、複写機、ファクシミリ機、複合機（ＭＦＰ：Ｍｕｌｔｉ  Ｆｕｎｃｔｉｏｎ  Ｐｒｉｎｔｅｒ）等の画像形成装置においては、画像形成ユニットの上方に画像読取ユニットが配設されている。該画像読取ユニットは、開閉可能なスキャナカバーを備え、該スキャナカバーを開けた状態でフラットベッドガラス上に原稿をセットし、スキャナカバーを閉じることによってセットした原稿をフラットベッドガラスに押圧した状態で前記原稿の読取動作を行うようになっている。また、スキャナカバーにＡＤＦを取り付け、スキャナカバーを閉じたままの状態で複数の原稿をＡＤＦによって給送し、フラットベッドガラスやＡＤＦ読取専用ガラス上に送り込んで前記原稿の読取動作を行う画像読取ユニットも普及している。
【０００３】
このような画像形成装置においては、画像形成ユニット内の定着器等の消耗品を交換する際の操作性を高くするために、画像読取ユニットが取り付けられた画像形成ユニットのトップカバーを約９０度まで開くことができるようになっている（例えば、特許文献１参照。）。
【特許文献１】特開２００７−９６８８９号公報
【発明の開示】
【発明が解決しようとする課題】
【０００４】
しかしながら、前記従来の画像形成装置においては、画像形成ユニットに対して画像読取ユニットの一端が回動可能に軸支され開閉することができるようになっている。そのため、ＡＤＦに読取終了後に原稿が残っていると、画像読取ユニットを開けたときに原稿が落下しやすくなってしまう。
【０００５】
本発明は、前記従来の問題点を解決して、原稿を搬送する原稿搬送部が原稿の画像を読み取る読取部に対して開閉可能に配設されるとともに、原稿搬送部の開動作に連動して排出された原稿を押さえる押さえ部材を配設することによって、原稿搬送部を開けたときに原稿が落下することを確実に防止することができる画像読取装置及び画像形成装置を提供することを目的とする。
【課題を解決するための手段】
【０００６】
そのために、本発明の画像読取装置においては、原稿の画像を読み取る読取部と、該読取部に原稿を搬送し、読み取りが終了した原稿を排出する原稿搬送部とを有する画像読取装置であって、前記原稿搬送部は前記読取部に対して開閉可能に配設され、前記原稿搬送部の開動作に連動して排出された原稿を押さえる原稿押さえ部材を有する。
【発明の効果】
【０００７】
本発明によれば、画像読取装置においては、原稿を搬送する原稿搬送部が原稿の画像を読み取る読取部に対して開閉可能に配設されるとともに、原稿搬送部の開動作に連動して排出された原稿を押さえる押さえ部材を配設する。これにより、原稿搬送部を開けたときに原稿が落下することを確実に防止することができる。
【発明を実施するための最良の形態】
【０００８】
以下、本発明の実施の形態について図面を参照しながら詳細に説明する。
【０００９】
図２は本発明の第１の実施の形態における画像形成装置の側面図である。
【００１０】
本実施の形態における画像形成装置は、図に示されるように、画像形成ユニットとしてのプリンタ部１０及び画像読取ユニットとしての画像読取装置３０を有する。前記画像形成装置は、例えば、複写機、ファクシミリ機、ＭＦＰと通称される複合機等であるが、紙等の媒体に画像を印刷するプリンタ部１０と、紙等の媒体である原稿の画像を読み取る画像読取装置３０とを有する装置であれば、いかなる種類の装置であってもよい。
【００１１】
そして、前記プリンタ部１０は、モノクロ画像を形成するものであっても、カラー画像を形成するものであってもよく、また、インクジェット方式、熱転写方式等いかなる方式によって画像を形成するものであってもよいが、ここでは、イエロー（Ｙ）、マゼンタ（Ｍ）、シアン（Ｃ）及びブラック（Ｋ）の各色のトナーによって画像を形成する４つのイメージドラムユニット１７を備え、電子写真方式によってカラー画像を形成するタンデム方式のカラー電子写真式プリンタである場合について説明する。
【００１２】
前記プリンタ部１０は、積層された状態の媒体としての用紙を収納し、該用紙を１枚ずつ供給する給紙カセット部１１と、搬送される用紙に各色のトナー像を転写する４つのイメージドラムユニット１７と、転写されたトナー像を用紙に定着させる定着ユニット１８とを有する。
【００１３】
そして、前記給紙カセット部１１には、堆（たい）積した用紙を上から順次１枚ずつ繰り出して給紙する給紙ローラ１２が配設されている。該給紙ローラ１２は、図示されない駆動源からの駆動力を１方向にのみ伝達し、反転すると空転する機構である図示されないワンウェイクランチを内蔵している。
【００１４】
また、前記給紙カセット部１１からイメージドラムユニット１７まで用紙を搬送する用紙走行ルートｒ１に沿って、用紙の通過を検知するセンサ１３及び１６と、給紙された用紙のスキューを矯正する手段として機能する用紙搬送ローラ１４と、該用紙搬送ローラ１４から搬送されてきた用紙をイメージドラムユニット１７に送り込むための搬送ローラ１５とが配設されている。
【００１５】
各イメージドラムユニット１７では、帯電、露光、現像及び転写の各プロセスが行われ、イメージドラム上に形成された各色のトナー像が転写ローラによって、用紙に転写される。そして、トナー像が転写された用紙が定着ユニット１８が備える加熱ローラと加圧ローラとの間を通過することによって、トナー像が用紙に定着する。
【００１６】
さらに、定着ユニット１８から排出された用紙を搬送する用紙搬送路に沿って、用紙をプリンタ部１０の外ヘ送り出すための排出ローラ１９が配設されている。
【００１７】
また、前記画像読取装置３０は、画像読取装置本体としてのスキャナユニット３１と、該スキャナユニット３１のフラットベット部分を覆うスキャナカバー３２と、原稿搬送部としてのＡＤＦユニット３３とを有し、プリンタ部１０の上方に配設されている。前記ＡＤＦユニット３３は、セットされた複数枚の原稿を１枚ずつ分離して搬送し、スキャナユニット３１が備える後述される読取部２２に供給する装置であり、スキャナカバー３２に一体的に取り付けられている。
【００１８】
次に、前記画像読取装置３０の構成について詳細に説明する。
【００１９】
図３は本発明の第１の実施の形態における画像形成装置の正面図である。
【００２０】
図に示されるように、ＡＤＦユニット３３は、読取原稿をセットする原稿受け台としての原稿載置トレイ３４、読取原稿の有無を判断する用紙有無センサ３６、読取原稿を分離するＡＤＦローラ３５、原稿搬送ローラ３７、読取原稿の通過を検知するセンサ３８及び原稿排出ローラ３９を備える。
【００２１】
そして、スキャナユニット３１は、内部に配設された可動式の読取部２２を備える。該読取部２２は、ＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のセンサ、レンズ、導光部材等の光学素子等を備え、原稿の画像を読み取るようになっている。なお、前記読取部２２は、図における横方向、すなわち、水平方向に移動可能となっている。そして、原稿がＡＤＦユニット３３によってスキャナユニット３１に供給される場合、読取部２２は、図に示されるような位置ａで停止し、相対的に移動する原稿の画像を読み取る。また、原稿がフラットベットガラス上にセットされる場合、読取部２２は、図に示されるような位置ｂから右方向に一定速度で移動し、停止している原稿の画像を読み取る。
【００２２】
なお、ｒ２は、前記ＡＤＦユニット３３にセットされた原稿が読取部２２に供給され、該読取部２２によって画像を読み取られてから排出されるまでの用紙走行ルートである。そして、排出された原稿は、スキャナカバー３２の上面に形成された原稿排出スタッカ４２上に積層される。
【００２３】
また、２１は、プリンタ部１０の上面を覆う蓋（ふた）部材としてのプリンタカバーであり、開閉可能に取り付けられており、プリンタ部１０内において発生した用紙のジャムの解消、消耗品の交換等の際には開けることができる。
【００２４】
次に、前記ＡＤＦユニット３３の開閉状態について説明する。
【００２５】
図１は本発明の第１の実施の形態におけるＡＤＦユニットが閉じられた状態での装置背面の斜視図、図４は本発明の第１の実施の形態におけるＡＤＦユニットが閉じられた状態の斜視図、図５は本発明の第１の実施の形態におけるＡＤＦユニットが閉じられた状態の上面図、図６は本発明の第１の実施の形態におけるＡＤＦユニットが開かれた状態の斜視図である。なお、図１において、（ａ）は全体図、（ｂ）は要部拡大図である。
【００２６】
本実施の形態においては、ＡＤＦユニット３３の上方には、スキャナユニット３１に回動中心を備えるアーム４４と、該アーム４４の先端に回動可能に取り付けられた原稿押さえ部材としての原稿押さえガイド４３が配設されている。そして、ＡＤＦユニット３３が閉じられた状態では、図４に示されるように、前記原稿押さえガイド４３は、原稿排出スタッカ４２から離れて、該原稿排出スタッカ４２の上方に位置する。
【００２７】
また、図５に示されるように、前記アーム４４の回転軸上にはトーションスプリングから成る付勢部材としてのスプリング４５、４６が配設されている。該スプリング４５、４６は、前記アーム４４を常に図４に示される矢印Ａ方向（上方向）に付勢する。
【００２８】
そして、図６に示されるように、ＡＤＦユニット３３だけが所定の角度だけ開かれた状態になると、原稿押さえガイド４３が原稿排出スタッカ４２の上面に接触する。なお、前記所定の角度は、例えば、約２０度に設定される。
【００２９】
また、図１に示されるように、アーム４４の回転軸付近にはリンク４７が配設されている。該リンク４７は、スキャナユニット３１の左右に各々配設され、該スキャナユニット３１に配設されたリブ４９及びガイドピン４８によってガイドされ、上下方向に移動可能となっている。なお、前記ガイドピン４８は、スキャナユニット３１に形成された穴に圧入又はねじ止めされている。図１には、スキャナユニット３１の右側に配設されたリンク４７、リブ４９及びガイドピン４８のみが示されているが、スキャナユニット３１の左側にも同様に、リンク４７、リブ４９及びガイドピン４８が配設されている。そして、それぞれ、矢印Ａ方向の付勢力を任意の位置で押さえるように配設されている。
【００３０】
次に、前記構成の画像形成装置の動作について説明する。
【００３１】
図７は本発明の第１の実施の形態におけるＡＤＦユニットが閉じられた状態の右側面図、図８は本発明の第１の実施の形態におけるＡＤＦユニットが閉じられた状態の後方斜視図、図９は本発明の第１の実施の形態におけるＡＤＦユニットが２０度開かれた状態の右側面図、図１０は本発明の第１の実施の形態におけるＡＤＦユニットが２０度開かれた状態の後方斜視図、図１１は本発明の第１の実施の形態におけるＡＤＦユニットが５５度開かれた状態の右側面図、図１２は本発明の第１の実施の形態におけるＡＤＦユニットが５５度開かれた状態の後方斜視図、図１３は本発明の第１の実施の形態におけるスキャナユニットが６５度開かれた状態の右側面図、図１４は本発明の第１の実施の形態におけるスキャナユニットが６５度開かれた状態の後方斜視図、図１５は本発明の第１の実施の形態におけるスキャナユニットが６５度及びプリンタカバーが７０度開かれた状態の右側面図、図１６は本発明の第１の実施の形態におけるスキャナユニットが６５度及びプリンタカバーが７０度開かれた状態の後方斜視図である。
【００３２】
図７及び８は、ＡＤＦユニット３３及びスキャナユニット３１が閉じている状態であって、画像形成装置を通常使用する状態を示している。この状態においては、プリンタ部１０の上にリンク４７が載っているので、該リンク４７の下方向への移動が規制され、スプリング４５、４６によって矢印Ａ方向に付勢されているアーム４４の回動が規制されている。これにより、該アーム４４の先端に取り付けられた原稿押さえガイド４３は、一定位置で保持されている。
【００３３】
例えば、画像形成装置のユーザが原稿を１枚だけコピーするために当該原稿をフラットベットガラス上にセットしようとしてＡＤＦユニット３３を開ける場合に、それ以前にＡＤＦユニット３３によってスキャナユニット３１に供給されて画像の読み取りが行われて排出された原稿が原稿排出スタッカ４２上に残留しているとする。この場合、前記ユーザがそのままＡＤＦユニット３３を開け、図９及び１０に示されるように、該ＡＤＦユニット３３が前記所定の角度、すなわち、約２０度だけ開かれた状態になると、一定位置で保持されている原稿押さえガイド４３が、原稿排出スタッカ４２上に残留している原稿を押さえ付け始める。
【００３４】
そして、図１１及び１２に示されるように、フラットベットガラスの面が見える程度の大きな角度にまでＡＤＦユニット３３を開けると、リンク４７からアーム４４の回転軸付近が離れ、該アーム４４は、スプリング４５、４６によって付勢されながら、ＡＤＦユニット３３に追従して、該ＡＤＦユニット３３の開方向に動く。
【００３５】
続いて、前記ユーザは、コピーしたい原稿をフラットベットガラス上にセットする。そして、ＡＤＦユニット３３を閉じて図７及び８に示される状態に戻した後に、コピーするための操作を行う。
【００３６】
また、例えば、コピー中にプリンタ部１０内において用紙のジャムが発生すると、該ジャムを解消するために、前記ユーザは、原稿排出スタッカ４２上に残留している原稿を気にすることなく、図１３及び１４に示されるように、スキャナユニット３１を開けることができる。
【００３７】
このとき、該スキャナユニット３１を開けることによって、リンク４７の下端の規制がなくなるので、リンク４７は、ガイドピン４８及びスキャナユニット３１側のリブ４９にガイドされて下方向にスライドする。そして、スプリング４５、４６の付勢力によってアーム４４が回転し、該アーム４４の先端に取り付けられた原稿押さえガイド４３が原稿排出スタッカ４２に押し付けられる。
【００３８】
続いて、前記ユーザは、図１５及び１６に示されるように、プリンタ部１０の上面を覆うプリンタカバー２１を開けて、用紙のジャムの解除を行うことができる。なお、同様にして、プリンタ部１０内に配設されたイメージドラムユニット１７のトナー／ドラムの交換を行うこともできる。そして、用紙のジャムの解除が終了した後、プリンタカバー２１を閉め、スキャナユニット３１を元の状態に戻すと、アーム４４及び原稿押さえガイド４３も元の位置に戻ることになる。
【００３９】
このように、本実施の形態においては、アーム４４及び原稿押さえガイド４３によってＡＤＦユニット３３の原稿排出スタッカ４２上に置かれた原稿を落下させることなく、ＡＤＦユニット３３やスキャナユニット３１を開閉させることができる。したがって、プリンタ部１０のジャムの解除を容易に行うことができる。
【００４０】
次に、本発明の第２の実施の形態について説明する。なお、第１の実施の形態と同じ構成を有するものについては、同じ符号を付与することによって、その説明を省略する。また、前記第１の実施の形態と同じ動作及び効果についても、その説明を省略する。
【００４１】
図１７は本発明の第２の実施の形態におけるＡＤＦユニットが閉じられた状態の右側面図、図１８は本発明の第２の実施の形態におけるＡＤＦユニットが閉じられた状態の部分断面図、図１９は本発明の第２の実施の形態におけるＡＤＦユニットが閉じられた状態の後方斜視図、図２０は本発明の第２の実施の形態におけるＡＤＦユニットが２０度開かれた状態の右側面図、図２１は本発明の第２の実施の形態におけるＡＤＦユニットが２０度開かれた状態の部分断面図、図２２は本発明の第２の実施の形態におけるＡＤＦユニットが２０度開かれた状態の後方斜視図である。
【００４２】
本実施の形態において、原稿押さえガイド４３は、図に示されるようなアーム５０の先端に回動可能に取り付けられている。そして、図１７〜１９に示されるように、ＡＤＦユニット３３が閉じられた状態では、前記原稿押さえガイド４３は、前記第１の実施の形態と同様に、原稿排出スタッカ４２から離れて、該原稿排出スタッカ４２の上方に位置する。
【００４３】
また、前記アーム５０は、前記第１の実施の形態におけるアーム４４と同様に、ＡＤＦユニット３３の上方に配設され、スキャナユニット３１に回動中心を備える。そして、前記アーム５０の回転軸は、ＡＤＦユニット３３の回転軸と同軸上にあり、前記回転軸上にはトーションスプリングから成る付勢部材としてのスプリング５１、５２が配設され、該スプリング５１、５２が前記アーム５０を常に矢印Ａ方向に付勢する。
【００４４】
さらに、前記アーム５０の回転軸付近に、リンク５３が配設されている。該リンク５３は、スキャナユニット３１の左右に各々配設され、該スキャナユニット３１に配設されたリブ５５及びガイドピン５４によってガイドされ、上下方向に移動可能となっている。なお、前記ガイドピン５４は、スキャナユニット３１に形成された穴に圧入又はねじ止めされている。なお、スキャナユニット３１の両側には、左右対称に、リンク５３、リブ５５及びガイドピン５４が配設されている。そして、それぞれ、矢印Ｂ方向の付勢力を任意の位置で押さえるように配設されている。
【００４５】
そして、図２０〜２２に示されるように、ＡＤＦユニット３３だけが所定の角度だけ開かれた状態になると、原稿押さえガイド４３が原稿排出スタッカ４２の上面に接触する。前記所定の角度は、前記第１の実施の形態と同様に、約２０度に設定される。
【００４６】
なお、その他の点の構成については、前記第１の実施の形態と同様であるので、その説明を省略する。
【００４７】
次に、本実施の形態における画像形成装置の動作について説明する。
【００４８】
図２３は本発明の第２の実施の形態におけるＡＤＦユニットが５５度開かれた状態の右側面図、図２４は本発明の第２の実施の形態におけるＡＤＦユニットが５５度開かれた状態の部分断面図、図２５は本発明の第２の実施の形態におけるＡＤＦユニットが５５度開かれた状態の後方斜視図、図２６は本発明の第２の実施の形態におけるスキャナユニットが６５度開かれた状態の右側面図、図２７は本発明の第２の実施の形態におけるスキャナユニットが６５度開かれた状態の部分断面図、図２８は本発明の第２の実施の形態におけるスキャナユニットが６５度開かれた状態の後方斜視図、図２９は本発明の第２の実施の形態におけるスキャナユニットが６５度及びプリンタカバーが７０度開かれた状態の右側面図、図３０は本発明の第２の実施の形態におけるスキャナユニットが６５度及びプリンタカバーが７０度開かれた状態の部分断面図、図３１は本発明の第２の実施の形態におけるスキャナユニットが６５度及びプリンタカバーが７０度開かれた状態の後方斜視図である。
【００４９】
図１７〜１９は、ＡＤＦユニット３３及びスキャナユニット３１が閉じている状態であって、画像形成装置を通常使用する状態を示している。この状態においては、プリンタ部１０にリンク５３が載っているので、該リンク５３の矢印Ｂ方向（下方向）への移動が規制され、スプリング５１、５２によって矢印Ａ方向に付勢されているアーム５０の回動が規制されている。これにより、該アーム５０の先端に取り付けられた原稿押さえガイド４３は、一定位置で保持されている。
【００５０】
例えば、画像形成装置のユーザが原稿を１枚だけコピーするために当該原稿をフラットベットガラス上にセットしようとしてＡＤＦユニット３３を開ける場合に、それ以前にＡＤＦユニット３３によってスキャナユニット３１に供給されて画像の読み取りが行われて排出された原稿が原稿排出スタッカ４２上に残留しているとする。この場合、前記ユーザがそのままＡＤＦユニット３３を開け、図２０〜２２に示されるように、該ＡＤＦユニット３３が前記所定の角度、すなわち、約２０度だけ開かれた状態になると、一定位置で保持されている原稿押さえガイド４３が、原稿排出スタッカ４２上に残留している原稿を押さえ付け始める。
【００５１】
そして、図２３〜２５に示されるように、フラットベットガラスの面が見える程度の大きな角度にまでＡＤＦユニット３３を開けると、リンク５３からアーム５０の回転軸付近が離れ、該アーム５０は、スプリング５１、５２によって付勢されながら、ＡＤＦユニット３３に追従して、該ＡＤＦユニット３３の開方向に動く。
【００５２】
続いて、前記ユーザは、コピーしたい原稿をフラットベットガラス上にセットする。そして、ＡＤＦユニット３３を閉じて図１７〜１９に示される状態に戻した後に、コピーするための操作を行う。
【００５３】
また、例えば、コピー中にプリンタ部１０内において用紙のジャムが発生すると、該ジャムを解消するために、前記ユーザは、原稿排出スタッカ４２上に残留している原稿を気にすることなく、図２６〜２８に示されるように、スキャナユニット３１を開けることができる。
【００５４】
このとき、該スキャナユニット３１を開けることによって、リンク５３の下端の規制がなくなるので、リンク５３は、ガイドピン５４及びスキャナユニット３１側のリブ５５にガイドされて下方向にスライドする。そして、スプリング５１、５２の付勢力によってアーム５０が回転し、該アーム５０の先端に取り付けられた原稿押さえガイド４３が原稿排出スタッカ４２に押し付けられる。
【００５５】
続いて、前記ユーザは、図２９〜３１に示されるように、プリンタ部１０の上面を覆うプリンタカバー２１を開けて、用紙のジャムの解除を行うことができる。なお、同様にして、プリンタ部１０内に配設されたイメージドラムユニット１７のトナー／ドラムの交換を行うこともできる。そして、用紙のジャムの解除が終了した後、プリンタカバー２１を閉め、スキャナユニット３１を元の状態に戻すと、アーム５０及び原稿押さえガイド４３も元の位置に戻ることになる。
【００５６】
このように、本実施の形態においては、前記第１の実施の形態と同様に、アーム５０及び原稿押さえガイド４３によってＡＤＦユニット３３の原稿排出スタッカ４２上に置かれた原稿を落下させることなく、ＡＤＦユニット３３やスキャナユニット３１を開閉させることができ、プリンタ部１０のジャムの解除を容易に行うことができる。
【００５７】
なお、前記第１の実施の形態においては、ＡＤＦユニット３３とアーム４４との回転支点位置が異なっているので、ＡＤＦユニット３３を２０度から５５度まで開けると、それぞれの回転軌跡の違いによって、原稿押さえガイド４３がずれてしまう。これに対し、本実施の形態においては、アーム５０の回転軸とＡＤＦユニット３３の回転軸とが同軸上に配置されているので、ＡＤＦユニット３３を２０度から５５度まで開けても、原稿押さえガイド４３がずれてしまうことがない。
【００５８】
次に、本発明の第３の実施の形態について説明する。なお、第１及び第２の実施の形態と同じ構成を有するものについては、同じ符号を付与することによって、その説明を省略する。また、前記第１及び第２の実施の形態と同じ動作及び効果についても、その説明を省略する。
【００５９】
図３２は本発明の第３の実施の形態におけるＡＤＦユニットが閉じられた状態の右側面図、図３３は本発明の第３の実施の形態におけるＡＤＦユニットが閉じられた状態の前方斜視図、図３４は本発明の第３の実施の形態におけるＡＤＦユニットが閉じられた状態の後方斜視図、図３５は本発明の第３の実施の形態におけるスキャナユニットがプリンタ部に載っている状態を示す断面図であり図３２におけるＡ−Ａ矢視断面図、図３６は本発明の第３の実施の形態におけるスキャナユニットがプリンタ部から離れている状態を示す断面図である。
【００６０】
本実施の形態において、原稿押さえ部材としての原稿押さえガイド６０は、ＡＤＦユニット３３の原稿載置トレイ３４の裏側に回動可能に取り付けられている。そして、図３２〜３６に示されるように、ＡＤＦユニット３３が閉じられた状態では、前記原稿押さえガイド６０は、前記第１及び第２の実施の形態と同様に、原稿排出スタッカ４２から離れて、該原稿排出スタッカ４２の上方に位置する。
【００６１】
この場合、前記原稿押さえガイド６０は、ＡＤＦユニット３３に回動中心を備え、その回転軸には、トーションスプリングから成る付勢部材としてのスプリング６１、６２が配設され、該スプリング６１、６２が前記原稿押さえガイド６０を常に矢印Ｃ方向（下方向）に付勢する。
【００６２】
そして、前記スプリング６１、６２の付勢力を押さえるリンク６３がスキャナユニット３１の内部に配設されている。前記リンク６３は、２つのガイドピン６４によって矢印Ｄ及びＥ方向（上下方向）に動作するようにガイドされ、その上端がスキャナカバー３２の一部に形成された貫通孔（こう）から上方に突出し、原稿押さえガイド６０の下面に当接する。また、前記リンク６３の下端は、スキャナユニット３１の下方に突出している。
【００６３】
前記ＡＤＦユニット３３が閉じられた状態では、スキャナユニット３１がプリンタ部１０に載っている状態なので、図３５に示されるように、リンク６３の下端がプリンタ部１０の一部分によって当接して押されているので、リンク６３は矢印Ｄ方向（上方向）に移動させられる。これにより、リンク６３の上端が原稿押さえガイド６０を矢印Ｄ方向に押し上げる。
【００６４】
また、スキャナユニット３１が回転してプリンタ部１０から両側が離れている状態においては、図３６に示されるように、スキャナユニット３１がプリンタ部１０から離れているので、リンク６３はスプリング６１、６２の付勢力によって矢印Ｅ方向（下方向）に移動する。
【００６５】
なお、その他の点の構成については、前記第１及び第２の実施の形態と同様であるので、その説明を省略する。
【００６６】
次に、本実施の形態における画像形成装置の動作について説明する。
【００６７】
図３７は本発明の第３の実施の形態におけるＡＤＦユニットが２０度開かれた状態の右側面図、図３８は本発明の第３の実施の形態におけるＡＤＦユニットが２０度開かれた状態の前方斜視図、図３９は本発明の第３の実施の形態におけるＡＤＦユニットが２０度開かれた状態の後方斜視図、図４０は本発明の第３の実施の形態におけるＡＤＦユニットが５５度開かれた状態の右側面図、図４１は本発明の第３の実施の形態におけるスキャナユニットが６５度開かれた状態の右側面図、図４２は本発明の第３の実施の形態におけるスキャナユニットが６５度開かれた状態の上面図、図４３は本発明の第３の実施の形態におけるスキャナユニットが６５度及びプリンタカバーが７０度開かれた状態の左側面図である。
【００６８】
図３２〜３４は、ＡＤＦユニット３３及びスキャナユニット３１が閉じている状態であって、画像形成装置を通常使用する状態を示している。この状態においては、プリンタ部１０にスキャナユニット３１が載っているので、リンク６３が矢印Ｄ方向に移動させられ、リンク６３の上端が原稿押さえガイド６０を矢印Ｄ方向に押し上げる。すると、原稿押さえガイド６０は、スプリング６１、６２によって矢印Ｃ方向に付勢されているので、一定位置で保持される。
【００６９】
例えば、画像形成装置のユーザが原稿を１枚だけコピーするために当該原稿をフラットベットガラス上にセットしようとしてＡＤＦユニット３３を開ける場合に、それ以前にＡＤＦユニット３３によってスキャナユニット３１に供給されて画像の読み取りが行われて排出された原稿が原稿排出スタッカ４２上に残留しているとする。この場合、前記ユーザがそのままＡＤＦユニット３３を開け、図３７〜３９に示されるように、該ＡＤＦユニット３３が所定の角度、例えば、約２０度だけ開かれた状態になると、一定位置で保持されている原稿押さえガイド６０が、原稿排出スタッカ４２上に残留している原稿を押さえ付け始める。
【００７０】
そして、図４１に示されるように、フラットベットガラスの面が見える程度の大きな角度にまでＡＤＦユニット３３を開けると、リンク６３から原稿押さえガイド６０が離れ、該原稿押さえガイド６０は、スプリング６１、６２によって付勢されながら、ＡＤＦユニット３３に追従して、該ＡＤＦユニット３３の開方向に動く。
【００７１】
続いて、前記ユーザは、コピーしたい原稿をフラットベットガラス上にセットする。そして、ＡＤＦユニット３３を閉じて図３２〜３４に示される状態に戻した後に、コピーするための操作を行う。
【００７２】
また、例えば、コピー中にプリンタ部１０内において用紙のジャムが発生すると、該ジャムを解消するために、前記ユーザは、原稿排出スタッカ４２上に残留している原稿を気にすることなく、図４１及び４２に示されるように、スキャナユニット３１を開けることができる。
【００７３】
このとき、該スキャナユニット３１を開けることによって、リンク６３の下端の規制がなくなるので、リンク６３は、ガイドピン６４にガイドされて下方向にスライドする。そして、スプリング６１、６２の付勢力によって原稿押さえガイド６０が回転し、原稿排出スタッカ４２に押し付けられる。
【００７４】
続いて、前記ユーザは、図４３に示されるように、プリンタ部１０の上面を覆うプリンタカバー２１を開けて、用紙のジャムの解除を行うことができる。なお、同様にして、プリンタ部１０内に配設されたイメージドラムユニット１７のトナー／ドラムの交換を行うこともできる。そして、用紙のジャムの解除が終了した後、プリンタカバー２１を閉め、スキャナユニット３１を元の状態に戻すと、リンク６３及び原稿押さえガイド６０も元の位置に戻ることになる。
【００７５】
このように、本実施の形態においては、前記第１及び第２の実施の形態と同様に、原稿押さえガイド６０によってＡＤＦユニット３３の原稿排出スタッカ４２上に置かれた原稿を落下させることなく、ＡＤＦユニット３３やスキャナユニット３１を開閉させることができ、プリンタ部１０のジャムの解除を容易に行うことができる。
【００７６】
なお、前記第２の実施の形態においては、アーム５０がスプリング５１、５２によって常に矢印Ａ方向に付勢されているので、ＡＤＦユニット３３を約２０度以上開けると、スプリング５１、５２の付勢力によっては、反力を受けることがある。これに対し、本実施の形態においては、スプリング６１、６２及び原稿押さえガイド６０がすべてＡＤＦユニット３３の内部に収められているので、その影響を全く受けないようにすることができる。
【００７７】
また、本発明におけるＡＤＦユニット３３は、画像読取装置３０やプリンタ部１０（プリンタ、ファクシミリ機や、プリンタ機能及びスキャナ機能等を備えた複合機等）の装置本体に対して着脱可能に装着されるものであっても、着脱不能なものであってもよい。
【００７８】
さらに、本発明は前記実施の形態に限定されるものではなく、本発明の趣旨に基づいて種々変形させることが可能であり、それらを本発明の範囲から排除するものではない。
【図面の簡単な説明】
【００７９】
【図１】本発明の第１の実施の形態におけるＡＤＦユニットが閉じられた状態での装置背面の斜視図である。
【図２】本発明の第１の実施の形態における画像形成装置の側面図である。
【図３】本発明の第１の実施の形態における画像形成装置の正面図である。
【図４】本発明の第１の実施の形態におけるＡＤＦユニットが閉じられた状態の斜視図である。
【図５】本発明の第１の実施の形態におけるＡＤＦユニットが閉じられた状態の上面図である。
【図６】本発明の第１の実施の形態におけるＡＤＦユニットが開かれた状態の斜視図である。
【図７】本発明の第１の実施の形態におけるＡＤＦユニットが閉じられた状態の右側面図である。
【図８】本発明の第１の実施の形態におけるＡＤＦユニットが閉じられた状態の後方斜視図である。
【図９】本発明の第１の実施の形態におけるＡＤＦユニットが２０度開かれた状態の右側面図である。
【図１０】本発明の第１の実施の形態におけるＡＤＦユニットが２０度開かれた状態の後方斜視図である。
【図１１】本発明の第１の実施の形態におけるＡＤＦユニットが５５度開かれた状態の右側面図である。
【図１２】本発明の第１の実施の形態におけるＡＤＦユニットが５５度開かれた状態の後方斜視図である。
【図１３】本発明の第１の実施の形態におけるスキャナユニットが６５度開かれた状態の右側面図である。
【図１４】本発明の第１の実施の形態におけるスキャナユニットが６５度開かれた状態の後方斜視図である。
【図１５】本発明の第１の実施の形態におけるスキャナユニットが６５度及びプリンタカバーが７０度開かれた状態の右側面図である。
【図１６】本発明の第１の実施の形態におけるスキャナユニットが６５度及びプリンタカバーが７０度開かれた状態の後方斜視図である。
【図１７】本発明の第２の実施の形態におけるＡＤＦユニットが閉じられた状態の右側面図である。
【図１８】本発明の第２の実施の形態におけるＡＤＦユニットが閉じられた状態の部分断面図である。
【図１９】本発明の第２の実施の形態におけるＡＤＦユニットが閉じられた状態の後方斜視図である。
【図２０】本発明の第２の実施の形態におけるＡＤＦユニットが２０度開かれた状態の右側面図である。
【図２１】本発明の第２の実施の形態におけるＡＤＦユニットが２０度開かれた状態の部分断面図である。
【図２２】本発明の第２の実施の形態におけるＡＤＦユニットが２０度開かれた状態の後方斜視図である。
【図２３】本発明の第２の実施の形態におけるＡＤＦユニットが５５度開かれた状態の右側面図である。
【図２４】本発明の第２の実施の形態におけるＡＤＦユニットが５５度開かれた状態の部分断面図である。
【図２５】本発明の第２の実施の形態におけるＡＤＦユニットが５５度開かれた状態の後方斜視図である。
【図２６】本発明の第２の実施の形態におけるスキャナユニットが６５度開かれた状態の右側面図である。
【図２７】本発明の第２の実施の形態におけるスキャナユニットが６５度開かれた状態の部分断面図である。
【図２８】本発明の第２の実施の形態におけるスキャナユニットが６５度開かれた状態の後方斜視図である。
【図２９】本発明の第２の実施の形態におけるスキャナユニットが６５度及びプリンタカバーが７０度開かれた状態の右側面図である。
【図３０】本発明の第２の実施の形態におけるスキャナユニットが６５度及びプリンタカバーが７０度開かれた状態の部分断面図である。
【図３１】本発明の第２の実施の形態におけるスキャナユニットが６５度及びプリンタカバーが７０度開かれた状態の後方斜視図である。
【図３２】本発明の第３の実施の形態におけるＡＤＦユニットが閉じられた状態の右側面図である。
【図３３】本発明の第３の実施の形態におけるＡＤＦユニットが閉じられた状態の前方斜視図である。
【図３４】本発明の第３の実施の形態におけるＡＤＦユニットが閉じられた状態の後方斜視図である。
【図３５】本発明の第３の実施の形態におけるスキャナユニットがプリンタ部に載っている状態を示す断面図であり図３２におけるＡ−Ａ矢視断面図である。
【図３６】本発明の第３の実施の形態におけるスキャナユニットがプリンタ部から離れている状態を示す断面図である。
【図３７】本発明の第３の実施の形態におけるＡＤＦユニットが２０度開かれた状態の右側面図である。
【図３８】本発明の第３の実施の形態におけるＡＤＦユニットが２０度開かれた状態の前方斜視図である。
【図３９】本発明の第３の実施の形態におけるＡＤＦユニットが２０度開かれた状態の後方斜視図である。
【図４０】本発明の第３の実施の形態におけるＡＤＦユニットが５５度開かれた状態の右側面図である。
【図４１】本発明の第３の実施の形態におけるスキャナユニットが６５度開かれた状態の右側面図である。
【図４２】本発明の第３の実施の形態におけるスキャナユニットが６５度開かれた状態の上面図である。
【図４３】本発明の第３の実施の形態におけるスキャナユニットが６５度及びプリンタカバーが７０度開かれた状態の左側面図である。
【符号の説明】
【００８０】
１０    プリンタ部
２１    プリンタカバー
２２    読取部
３０    画像読取装置
３３    ＡＤＦユニット
３４    原稿載置トレイ
４３、６０    原稿押さえガイド
４５、４６、５１、５２、６１、６２    スプリング
【図１】
2009130722.tif 000003
【図２】
2009130722.tif 000004
【図３】
2009130722.tif 000005
【図４】
2009130722.tif 000006
【図５】
2009130722.tif 000007
【図６】
2009130722.tif 000008
【図７】
2009130722.tif 000009
【図８】
2009130722.tif 000010
【図９】
2009130722.tif 000011
【図１０】
2009130722.tif 000012
【図１１】
2009130722.tif 000013
【図１２】
2009130722.tif 000014
【図１３】
2009130722.tif 000015
【図１４】
2009130722.tif 000016
【図１５】
2009130722.tif 000017
【図１６】
2009130722.tif 000018
【図１７】
2009130722.tif 000019
【図１８】
2009130722.tif 000020
【図１９】
2009130722.tif 000021
【図２０】
2009130722.tif 000022
【図２１】
2009130722.tif 000023
【図２２】
2009130722.tif 000024
【図２３】
2009130722.tif 000025
【図２４】
2009130722.tif 000026
【図２５】
2009130722.tif 000027
【図２６】
2009130722.tif 000028
【図２７】
2009130722.tif 000029
【図２８】
2009130722.tif 000030
【図２９】
2009130722.tif 000031
【図３０】
2009130722.tif 000032
【図３１】
2009130722.tif 000033
【図３２】
2009130722.tif 000034
【図３３】
2009130722.tif 000035
【図３４】
2009130722.tif 000036
【図３５】
2009130722.tif 000037
【図３６】
2009130722.tif 000038
【図３７】
2009130722.tif 000039
【図３８】
2009130722.tif 000040
【図３９】
2009130722.tif 000041
【図４０】
2009130722.tif 000042
【図４１】
2009130722.tif 000043
【図４２】
2009130722.tif 000044
【図４３】
2009130722.tif 000045